(57)【要約】【課題】不審な利用状況がないかを監視する対象者を特定しておき、同居人等に限定せず通知することのできる、エレベータを用いて対象者の動向を監視するシステムを提供する。【解決手段】本発明に係るシステムは、エレベータのカゴ51の昇降動作を制御し、その制御情報を送信するエレベータ制御装置55と、対象者の識別情報を記憶し、対象者が携行する情報タグ40と、カゴ内に設置され、情報タグと無線通信を行なう情報読取装置30であって、情報タグがカゴ内に持ち込まれたときに情報タグから識別情報を取得して送信する情報読取装置と、エレベータ制御装置から送信された制御情報と、情報読取装置から送信された識別情報を受信し、対象者によるエレベータの利用状況を監視して監視情報を蓄積し、不審な利用状況であると判断した場合に不審利用情報を通知する監視装置20と、監視装置から不審利用情報の通知を受ける端末装置73と、を具える。【選択図】図２
2015074528.tif 000002
【特許請求の範囲】
【請求項１】
エレベータのカゴの昇降動作を制御し、その制御情報を送信するエレベータ制御装置と、
対象者の識別情報を記憶し、前記対象者が携行する情報タグと、
前記カゴ内に設置され、前記情報タグと無線通信を行なう情報読取装置であって、前記情報タグがカゴ内に持ち込まれたときに前記情報タグから前記識別情報を取得して送信する情報読取装置と、
前記エレベータ制御装置から送信された制御情報と、前記情報読取装置から送信された前記識別情報を受信し、前記対象者によるエレベータの利用状況を監視して監視情報を蓄積し、前記監視情報に基いて不審な利用状況であると判断した場合に不審利用情報を通知する監視装置と、
前記監視装置から不審利用情報の通知を受ける端末装置と、
を具えることを特徴とする、エレベータを用いて対象者の動向を監視するシステム。
【請求項２】
前記監視情報は、乗車階床と降車階床を含んでおり、
前記監視装置は、前記乗車階床が、直近の前記降車階床と異なる場合に、前記不審利用情報を通知する、
請求項１に記載の、エレベータを用いて対象者の動向を監視するシステム。
【請求項３】
前記監視装置には、前記監視情報との比較によって不審な利用状況を判断する登録情報を登録してある、
請求項１に記載の、エレベータを用いて対象者の動向を監視するシステム。
【請求項４】
前記登録情報は、前記識別情報に関連付けられた乗降可能階床を含んでおり、
前記監視装置は、前記降車階床が、どの前記乗降可能階床とも一致しない場合に、前記不審利用情報を送信する、
請求項３に記載の、エレベータを用いて対象者の動向を監視するシステム。
【請求項５】
前記登録情報は、前記カゴへの１回の乗車中に許容される前記カゴの許容昇降回数を含んでおり、
前記監視装置は、前記乗車時刻から、前記乗車時刻に対応する降車時刻までの間に、前記許容昇降回数以上に前記カゴの昇降を繰り返した場合、前記不審利用情報を送信する、
請求項３又は請求項４に記載の、エレベータを用いて対象者の動向を監視するシステム。
【請求項６】
前記登録情報は、所定時間に許容される前記カゴへの許容乗車回数を含んでおり、
前記監視装置は、前記所定時間当たりの乗車回数が、前記許容乗車回数以上となったときに、前記不審利用情報を送信する、
請求項３乃至請求項５の何れかに記載の、エレベータを用いて対象者の動向を監視するシステム。
【請求項７】
前記エレベータは集合住宅に設置され、前記対象者は前記集合住宅の住人である、
請求項１乃至請求項６の何れかに記載の、エレベータを用いて対象者の動向を監視するシステム。
【発明の詳細な説明】
【技術分野】
【０００１】
本発明は、対象者のエレベータ利用状況を監視し、不審な利用状況と判定された場合に管理者へ通知することのできる、エレベータを用いて対象者の動向を監視するシステムに関するものである。
【背景技術】
【０００２】
集合住宅に設置されたエレベータのカゴ内で、住人が所持した携帯端末と通信を行ない、住人のエレベータの利用履歴を同居者へ通知するようにしたシステムが提案されている(たとえば、特許文献１参照)。
【０００３】
特許文献１では、携帯端末の識別情報をカゴ内で読み取り、カゴの運行情報と関連付けて、カゴに乗り込んだ時間、階床、降りた時間、階床を、住人のエレベータの利用の都度同居者へ通知している。
【先行技術文献】
【特許文献】
【０００４】
【特許文献１】特開２０１０−６４８８３号公報
【発明の概要】
【発明が解決しようとする課題】
【０００５】
しかしながら、特許文献１では、上述のとおり住人のエレベータの利用の都度通知が行なわれるために頻繁にその通知が届く。従って、非常に煩雑であり、重要な通知を見逃してしまう虞もある。さらに、これら利用状況の確認は同居人が自ら行なわなければならない。
【０００６】
特に、エレベータの不審な利用状況を早期に発見することが重要である。たとえば、住人が短時間にエレベータの利用を繰り返したり、通常乗車すべきでない階床や降車すべきでない階床で乗り降りを行なった場合には、いたずらや徘徊等が想定される。このような場合、住人の保護等、適切な処置が求められる。
【０００７】
このような不審な利用状況がないかを監視する対象者を特定しておき、同居人等に限定せず通知することのできる、エレベータを用いて対象者の動向を監視するシステムを提供することが、本発明の目的である。
【課題を解決するための手段】
【０００８】
本発明に係る、エレベータを用いて対象者の動向を監視するシステムは、
エレベータのカゴの昇降動作を制御し、その制御情報を送信するエレベータ制御装置と、
対象者の識別情報を記憶し、前記対象者が携行する情報タグと、
前記カゴ内に設置され、前記情報タグと無線通信を行なう情報読取装置であって、前記情報タグがカゴ内に持ち込まれたときに前記情報タグから前記識別情報を取得して送信する情報読取装置と、
前記エレベータ制御装置から送信された制御情報と、前記情報読取装置から送信された前記識別情報を受信し、前記対象者によるエレベータの利用状況を監視して監視情報を蓄積し、不審な利用状況であると判断した場合に不審利用情報を通知する監視装置と、
前記監視装置から不審利用情報の通知を受ける端末装置と、
を具える。
【発明の効果】
【０００９】
本発明に係る、エレベータを用いて対象者の動向を監視するシステムによれば、対象者のエレベータの利用状況一般を確認するのではなく、エレベータの利用状況から対象者の不審な動向を判断したときだけ、同居人等に限定せず設定した管理者に通知することができる。このため、通知を受けた管理者は、対象者の保護等、適切な処置を早期に採ることができる。
【図面の簡単な説明】
【００１０】
【図１】図１は、本発明の一実施形態に係る、エレベータを用いて対象者の動向を監視するシステムの概略を示す接続構成図である。
【図２】図２は、図１の動向監視システムを集合住宅に設置した説明図である。
【図３】図３は、本発明の一実施形態に係る動向監視システムのフローチャートである。
【図４】図４は、図３のサブルーチンＳ１００を示すフローチャートである。
【図５】図５は、図３のサブルーチンＳ２００を示すフローチャートである。
【図６】図６は、図３のサブルーチンＳ３００を示すフローチャートである。
【図７】図７は、図３のサブルーチンＳ４００を示すフローチャートである。
【図８】図８は、図３のサブルーチンＳ５００を示すフローチャートである。
【発明を実施するための形態】
【００１１】
図１は、本発明の一実施形態に係る、エレベータ(50)を用いて対象者の動向を監視するシステム(10)の概略を説明する接続構成図、図２は、エレベータ(50)を用いて対象者の動向を監視するシステム(10)を集合住宅(60)に適用した説明図である。なお、本発明の、エレベータ(50)を用いて対象者の動向を監視するシステム(10)は、マンションなどの集合住宅(60)や病院など、対象者の動向を特定することが必要となる建物に適用することができる。
【００１２】
図１及び図２に示すように、本発明のエレベータ(50)を用いて対象者の動向を監視するシステム(10)は、対象者(以下「住人(70)」とする)が携帯端末やＩＣカードなどの識別情報を有する情報タグ(40)を携行した状態でカゴ(51)に乗り込むことで、カゴ(51)内に設置された情報読取装置(30)が情報タグ(40)から識別情報を読み取り、監視装置(20)に通知するものである。監視装置(20)は、受信した情報タグ(40)の識別情報と、エレベータの制御装置(55)から受信した制御情報から監視情報を作成し、予め登録された登録情報と監視情報を比較したり、監視情報自体を点検したりして、エレベータ(50)の利用状況が不審であると判断した場合に、住人(70)の保護者等である管理者の端末装置(73)に、有線又は無線の公衆通信網(12)を利用して、不審利用情報を送信するものである。管理者は、不審利用情報を端末装置(73)で受信すると、その不審なエレベータ(50)の利用状況に対する処置を採ることができる。
【００１３】
より詳細には、エレベータ(50)は、図２に示すように、シャフトの上部等に設置された巻上機(52)に巻掛けられたロープ(53)の一端にカゴ(51)、他端に釣り合い錘(54)を連結して構成され、巻上機(52)を駆動することで、カゴ(51)の階床間の昇降移動を可能としている。本実施形態では、説明の簡略化のため、エレベータ(50)は１基のみであるが、複数並設、設置されていてもよい。
【００１４】
集合住宅(60)は、図２に示すように、監視の対象者となる住人(70)の居宅階床(61)と、集合住宅(60)への出入り階床となる玄関階床(62)と、これら以外の階床(63)(64)とを有している。建物が病院の場合には、監視の対象者はたとえば入院患者となる。
【００１５】
エレベータ(50)のカゴ(51)の昇降、扉の操作等、全ての制御は、エレベータ制御装置(55)によって行なわれる。エレベータ制御装置(55)は、各階床に設けられた乗り場呼び釦(56)及びカゴ(51)内に設けられたカゴ呼び釦(57)と電気的に接続され、乗り場呼び釦(56)への操作に呼応して巻上機(52)を駆動してカゴ(51)を昇降させ、乗客が乗り込んだ後、カゴ呼び釦(57)を操作して、所望の行先階床が指定されることで、巻上機(52)を駆動し、所定の行先階床までカゴ(51)を移動させるものである。
【００１６】
エレベータ制御装置(55)によるカゴ(51)の位置情報や走行方向情報、乗り場呼び釦(56)やカゴ呼び釦(57)の操作情報は、制御情報として監視装置(20)に送信される。
【００１７】
カゴ(51)には、図２に示すように、カゴ(51)内で情報タグ(40)と無線通信を行なう情報読取装置(30)が配備されている。図示の実施例では、カゴ(51)の天井に情報読取装置(30)を設置している。情報読取装置(30)は、カゴ(51)内に無線通信を常時継続しており、情報タグ(40)がカゴ(51)内に持ち込まれたときに、情報タグ(40)から識別情報を取得する。情報読取装置(30)は、監視装置(20)と有線(22)又は無線通信可能に接続されている。情報読取装置(30)として、ＩＣタグリーダーを例示することができる。
【００１８】
情報タグ(40)は、ＩＣタグや携帯電話等の携帯端末から構成することができ、住人(70)に対して割り当てられた個別の識別情報を記憶し、情報読取装置(30)からの無線通信に対して、識別情報を情報読取装置(30)に送信する。情報タグ(40)は、住人(70)が外出の際に携行する財布、鍵、携帯電話機、パスケース、杖などに収容や装着等できるようにすることが望ましい。
【００１９】
上記した情報読取装置(30)は、取得した情報タグ(40)の識別情報を監視装置(20)に送信する。また、監視装置(20)は、識別情報を受信すると、エレベータ制御装置(55)から制御情報を取得する。
【００２０】
監視装置(20)は、自身が備えるリアルタイムクロックから読み取った現在時刻や、受信した識別情報と制御情報に基づいて、対象者のエレベータ(50)の利用状況を監視するための監視情報を作成し、蓄積する。監視装置(20)は、ＣＰＵ、記憶部(メモリ)、クロック回路、記憶部に記憶された各種プログラム等によって実現することができ、種々の機能は、ハードウェアのみ、ソフトウエアのみ又はこれらの組合せによって実現される。
【００２１】
具体的には、監視装置(20)により作成される監視情報には、識別情報を所持している住人(70)が、カゴ(51)に乗車した階床、時刻の情報、カゴ呼び釦(57)により指定した行先階床、またその操作の時刻情報、降車した階床、時刻の情報等が含まれることとなる。
【００２２】
監視装置(20)は、記憶部に予め１又は複数の登録情報を記憶している。この登録情報は、集合住宅(60)に関する情報、たとえば、階床数、玄関階床等を含んでいる。また、識別情報に関連付けられた住人(70)の乗降可能階床、たとえば、その住人の居宅階床(61)、集合住宅(60)内に知人居宅階床(63)があればその階床等の情報を含んでいる。また、後述する不審利用情報を受信する端末装置(73)の情報、端末装置(73)から監視装置(20)へのアクセスのための暗証番号等を含んでいる。
【００２３】
登録情報には、カゴ(51)への１回の乗車中に許容されるカゴ(51)の昇降回数や、所定時間当たりのカゴ(51)への乗降回数を含めることができる。その他、登録情報には、カゴ(51)への許容滞在時間や、エレベータ(50)の利用可能時間帯を含めることもできる。
これら登録情報のうち、全住人に対して共通して設定可能な情報については、必ずしも識別情報に関連付けておく必要はない。
【００２４】
監視装置(20)は、作成された監視情報を上記した登録情報と比較したり、監視情報自体を点検したりして、所定の条件を満たす又は満たさない利用があった場合には、住人(70)のエレベータ(50)の利用状況が不審であると判断し、その内容を不審利用情報として、管理者の端末装置(73)にメール等により通知する。なお、管理者とは、住人(70)の保護者だけでなく、施設の管理人を含めることができる。また、端末装置への通知だけでなく、監視盤(24)等への発報等であってもよい。
【００２５】
管理者の端末装置(73)は、携帯電話機、スマートフォン、タブレット型端末、パーソナルコンピュータ等を例示することができる。端末装置(73)が、公衆通信網(12)を介して監視装置(20)からの不審利用情報の通知を受けると、通知されるに到った不審利用の状況が記述された電子メールが送られてきたり、不審利用情報の通知を受けた管理者が、端末装置(73)を用いて監視装置(20)にアクセスしたりすることで、不審利用の状況を確認できるようにすることができる。
【００２６】
監視装置(20)は、蓄積された監視情報から、住人(70)のエレベータ(50)の日頃の利用状況に関する情報を作成し、端末装置(73)からのアクセスによって、その利用状況に関する情報を閲覧できるようにしておいてもよい。それによって住人(70)のエレベータ(50)の日頃の利用状況を窺うことができる。この種の情報として例えば移動履歴情報があり、後述する。
【００２７】
監視装置が端末装置へ通知する不審利用情報は、具体的には以下のような情報である。
【００２８】
＜ａ：長時間外出なし＞
対象者がエレベータ(50)を長時間利用していない場合には、直近の降車階床が居宅階床(61)であれば、居宅から外出していないと確認でき、「ａ：長時間外出なし」という不審利用情報を通知する。ここで登録情報としては、長時間と判定するための所定時間や、居宅階床を使用し、監視情報としては、乗車中か否かや、直近の降車階床を使用する。
【００２９】
＜ｂ：長時間帰宅なし＞
同じ場合、直近の降車階床が玄関階床(62)等であれば、外出したまま居宅に戻っていないと確認でき、「ｂ：長時間帰宅なし」という不審利用情報を通知する。ここで登録情報としては、外出したままと判定するための所定時間や、玄関階床を使用し、監視情報としては、乗車中か否かや、直近の降車階床を使用する。
【００３０】
＜ｃ：カゴ内長時間滞留＞
対象者がカゴ(51)内に居るのが所定時間を超えた場合には、カゴ(51)内で倒れている等、何らかの事情が想定され、「ｃ：カゴ内長時間滞留」という不審利用情報を通知する。ここで登録情報としては、乗車中状態の継続を許容する所定時間や、玄関階床を使用し、監視情報としては、乗車中状態の継続時間を使用する。
【００３１】
＜ｄ：無用の乗車＞
降車階床が、直近の乗車階床と同じである場合には、対象者が無用に乗車していたことになり、いたずらや徘徊などが想定される。具体的には、カゴ(51)に乗車した後走行せずにすぐ降車したり、カゴ(51)に乗車した後走行しても同じ階床まで戻ってきて降車するような利用である。この場合は「ｄ：無用の乗車」という不審利用情報を通知する。ここで登録情報としては、使用するものがなく、監視情報としては、乗車階床や降車階床を使用する。
【００３２】
＜ｅ：不自然な昇降＞
対象者がカゴ(51)に乗車の後、必要以上に昇降回数を重ねていることが判明した場合には、不自然に昇降していることになり、いたずらや徘徊などが想定される。この場合は「ｅ：不自然な昇降」という不審利用情報を通知する。ここで登録情報としては、乗車中の昇降回数の許容値あるいは乗車中の走行方向反転回数の許容値を使用し、監視情報としては、乗車中の昇降回数あるいは乗車中の走行方向反転回数を使用する。
【００３３】
＜ｆ：エレベータ以外の手段による階床間移動＞
直近の降車階床に対し、引き続く乗車階床が異なる場合には、エレベータ(50)を利用しない、階段等による階床間移動が考えられる。この場合は「ｆ：エレベータ以外の手段による階床間移動」という不審利用情報を通知する。ここで登録情報としては、使用するものがなく、監視情報としては、直近の降車階床や、引き続く乗車階床を使用する。
【００３４】
＜ｇ：想定時間帯外利用＞
乗車した時刻が、乗車を想定している時間帯の範囲外であった場合には、「ｇ：想定時間帯外利用」という不審利用情報を通知する。ここで登録情報としては、想定時間帯を使用し、監視情報としては、乗車時刻を使用する。
【００３５】
＜ｈ：想定外階床降車＞
降車階床が予め登録された階床、たとえば、居宅階床(61)、玄関階床(62)、知人居宅階床(63)でない場合には、想定外の階床に降車したということで、いたずらや徘徊などが想定される。この場合は「ｈ：想定外階床降車」という不審利用情報を通知する。ここで登録情報としては、居宅階床、玄関階床、知人居宅階床を使用し、監視情報としては、降車階床を使用する。
【００３６】
＜ｉ：定例訪問なし＞
対象者が定例的に訪問するものと想定した階床と時間帯を登録しておき、想定時間帯の間に想定階床へ降車したかどうかを点検して、降車していなかった場合には、「ｉ：定例訪問なし」という不審利用情報を通知する。ここで登録情報としては、想定時間帯や想定階床を使用し、監視情報としては、降車時刻や降車階床を使用する。
【００３７】
監視装置(20)は、予め登録された登録情報と上記の如き監視情報とを比較したり、監視情報自体を点検したりして、所定の条件を満たす又は満たさないエレベータ(50)の利用があった場合には、端末装置(73)に不審利用情報を通知することができるので、管理者である保護者等は早期に住人(70)の状況を把握して、保護や通報等適切な処置を採ることができる。
【００３８】
以上で簡単に触れた監視情報、移動履歴情報、登録情報について、以下で詳しく例示する。なお監視情報は、受信情報と内部生成情報に分けて例示する。
【００３９】
＜受信情報＞
受信情報とは、監視装置(20)からの送信要求を受けて情報読取装置(30)が送信してくる識別情報等や、監視装置(20)からの送信要求を受けてエレベータ制御装置(55)が送信してくる制御情報を、監視装置(20)で加工せずそのまま保持する情報のことである。(ゼロ)識別情報、カゴ位置情報、カゴ走行方向情報がある。
・識別情報、ゼロ識別情報：監視装置(20)から送信要求を受けた情報読取装置(30)が送信してくる。カゴ(51)内での情報タグ(40)の検出が有の場合は識別情報が送信され、前記検出が無の場合はゼロ識別情報が送信される。識別情報は例えば「１２３４」。ゼロ識別情報は、どの対象者にも関係付けていないコード番号で、例えば「００００」である。
・カゴ位置情報[ＩＦＣａｒ]：監視装置(20)から送信要求を受けたエレベータ制御装置(55)が送信してくる。カゴ(51)が停止中か走行中かを問わず現在位置している階床の情報(最下階床を１としたときに１〜Ｎ)である。
・カゴ走行方向情報[ＩＤＣａｒ]：監視装置(20)から送信要求を受けたエレベータ制御装置(55)が送信してくる。カゴ(51)の昇降方向(０：乗込直後の初期値、１：上昇中及びその後次の走行までの停止中、２：下降中及びその後次の走行までの停止中)である。
【００４０】
＜内部生成情報＞
内部生成情報とは、受信情報や種々の条件判断に基づいて監視装置が内部で生成する情報であり、不審利用情報以外のものを指す。カゴ内滞在情報、現在時刻、最新降車階床履歴、最新乗車階床履歴、乗車中方向変化履歴、方向変化時階床履歴、定例訪問履歴がある。
・カゴ内滞在情報[ＩＳＴａｇ]：監視装置(20)から送信要求を受けた情報読取装置(30)が識別情報を送信してきた場合は値「１」を設定し、ゼロ識別情報を送信してきた場合は値「０」を設定する。
・現在時刻：監視装置が装備するリアルタイムクロックから読み取った現在の年／月／日／曜日／時／分／秒の情報。本実施形態では、年／月／日／曜日の部分はことさら言及せず、時／分／秒だけの言及に留める。
・最新降車階床履歴[ＨＦＤｅｓ]：住人(70)の最新(直近)の降車階床の情報(最下階床を１としたときに１〜Ｎ、但し初期値は０)。
・最新乗車階床履歴[ＨＦＡｃｃ]：住人(70)の最新(直近)の乗車階床の情報(最下階床を１としたときに１〜Ｎ、但し初期値は０)。
・乗車中方向変化履歴[ＨＤＣｈｇ]：住人(70)の１回の乗車中に経た昇降方向の変化回数のカウント値(０〜：回数。降車すると０に初期化)。
・方向変化時階床履歴：住人(70)の１回の乗車中に昇降方向が変化した時点でカゴ(51)が位置する階床の情報(最下階床を１としたときに１〜Ｎ)。
・定例訪問履歴[ＨＳＶｉｓ]：下記の登録情報で述べる定例訪問階床［ＤＦＳｖｉ］で、定例訪問可能時間帯[ＤＴＳｖｓ〜ＤＴＳｖｎ]に降車した履歴の有無(０：特定時間帯外、又は、特定時間帯内であるが訪問なし、１：特定時間帯内に訪問あり)。
【００４１】
＜移動履歴情報＞
乗車時や、乗車中の走行方向変化時や、降車時に、カゴ位置情報[ＩＦＣａｒ]を現在時刻とセットにして蓄積して行き、対象者の移動履歴として端末装置から閲覧できるようにした情報である。
【００４２】
＜登録情報＞
監視装置(20)に予め登録され、対象者ごとに特有の値を持つ(識別情報と関連付けられている)登録情報と、全対象者で共通の値を持つ(識別情報と関連付けられていない)登録情報とがある。なお、登録情報の登録は、監視装置(20)のインターフェイスを用いたり、保護者や管理者等の端末装置(73)から行なうことができる。
【００４３】
＜対象者ごとに特有の値を持つ(識別情報と関連付けられている)登録情報＞には、居宅階床、乗降可能階床、利用可能時間帯、定例訪問可能時間帯、定例訪問階床がある。
・居宅階床[ＤＦＲｅｓ]：住人(70)の居住階床(61)(最下階床を１としたときに１〜Ｎ)。
・乗降可能階床[ＤＦＶｉｓ]：玄関階床(62)や、住人(70)の知人居宅階床(63)など(最下階床を１としたときに１〜Ｎ)を列挙した配列型データ。たとえば玄関階床(62)が１階ならＤＦＶｉｓ(１)＝１、知人居宅階床(63)が５階の場合、ＤＦＶｉｓ(２)＝５となる。
・利用可能時間帯[ＤＴＭｏｒ〜ＤＴＮｉｇ]：住人(70)がエレベータ(50)を利用可能とされている時間帯(０〜２４：時刻。たとえば午前５時〜午後１１時の場合、ＤＴＭｏｒ＝５、ＤＴＮｉｇ＝２３となる)。なお、本実施形態では１時間刻みであるが分刻みとすることや、複数の時間帯の設定を行なうこともできる。
【００４４】
・定例訪問可能時間帯[ＤＴＳｖｓ〜ＤＴＳｖｎ]：住人(70)が定例的に訪問する時間帯(０〜２４：時刻)。
・定例訪問階床［ＤＦＳｖｉ］：住人(70)が定例的に訪問する階床を列挙した配列型データ。
たとえば午前５時〜６時の間に(ＤＴＳｖｓ＝５、ＤＴＳｖｎ＝６)、玄関階床(ＤＦＳｖｉ(１)＝１)に新聞を取りに行く場合など。なお、本実施形態では１訪問のみとしているが、複数の階床について設定することもできるし、特定の曜日、特定の日にち等を指定することもできる。
【００４５】
＜全対象者で共通の値を持つ(識別情報と関連付けられていない)登録情報＞には、乗車中方向反転許容回数、乗車中継続許容時間、帰宅無し許容時間、外出無し許容時間がある。
・乗車中方向反転許容回数：対象者の１回の乗車中、走行方向が何回反転すると不審利用だと判定するのかという回数。
・乗車中継続許容時間：対象者の1回の乗車中、どれくらいの時間継続して乗車中であると不審利用だと判定するのかという時間。
・帰宅無し許容時間：対象者が居宅階床以外で降車後、乗車中でない時間がどれくらい継続すると不審利用だと判定するのかという時間。
・外出無し許容時間：対象者が居宅階床で降車後、乗車中でない時間がどれくらい継続すると不審利用だと判定するのかという時間。
【００４６】
図３〜図８は、本発明の監視装置(20)による不審利用情報の判定フローの一実施形態を示している。図３がメインルーチンとなり、その中でサブルーチンＳ１００(詳細は図４)、Ｓ２００(詳細は図５)、Ｓ３００(詳細は図６)、Ｓ４００(詳細は図７)、Ｓ５００(詳細は図８)が呼び出される。
【００４７】
まず図３の説明をする。電源が投入されてシステムがスタートすると、乗車中方向変化履歴[ＨＤＣｈｇ]、最新乗車階床履歴[ＨＦＡｃｃ]、最新降車階床履歴[ＨＦＤｅｓ]及び定例訪問履歴[ＨＳＶｉｓ]を０に初期化する(ステップＳ１)。
【００４８】
続くステップＳ２では、情報タグ(40)の識別情報を読み取っているかどうかを情報読取装置(30)に問い合わせ、読み取っていれば識別情報を、いなければゼロ識別情報を送信させる。識別情報が送信された場合には、カゴ内滞在情報[ＩＳＴａｇ]を１にセットし(ステップＳ２のＹｅｓ)、ステップＳ３に移行する。ゼロ識別情報が送信された場合には、カゴ内滞在情報[ＩＳＴａｇ]を０にリセットして(ステップＳ２のＮｏ)、ステップＳ４に移行する。
【００４９】
ステップＳ２にて、カゴ内滞在情報[ＩＳＴａｇ]が１のとき、ステップＳ３では、前述のステップＳ２において、カゴ内滞在情報[ＩＳＴａｇ]が前回のルーチンも１にセットされていたかどうかを判断し、前回のルーチンにてカゴ内滞在情報[ＩＳＴａｇ]が０であった場合には(ステップＳ３のＮｏ)、サブルーチンＳ１００の処理を行なう。前回のルーチンにおいてカゴ内滞在情報[ＩＳＴａｇ]が１であった場合には、乗車継続中であると判断し、後述するサブルーチンＳ２００に移行する(ステップＳ３のＹｅｓ)。
【００５０】
サブルーチンＳ１００やＳ２００の処理終了後はサブルーチンＳ５００に移行し、Ｓ５００の処理終了後はメインルーチンのＳ２に戻る。
【００５１】
一方、前記ステップＳ２において、情報読取装置(30)からゼロ識別情報が送信された場合には、カゴ内滞在情報[ＩＳＴａｇ]が０にリセットされる。この状態において、ステップＳ４では、カゴ内滞在情報[ＩＳＴａｇ]が前回のルーチンでも０であったかどうかを判断し、前回のルーチンにてカゴ内滞在情報[ＩＳＴａｇ]が０でない、すなわち１であった場合には(ステップＳ４のＮｏ)、住人(70)が降車した直後と判断し、サブルーチンＳ３００の処理を行なう。前回のルーチンにおいてカゴ内滞在情報[ＩＳＴａｇ]が０であった場合には、乗車していない状態が継続していると判断し、後述するサブルーチンＳ４００に移行する(ステップＳ４のＮｏ)。
【００５２】
サブルーチンＳ３００やＳ４００の処理終了後はサブルーチンＳ５００に移行し、Ｓ５００の処理終了後はメインルーチンのＳ２に戻る。
【００５３】
以上において、Ｓ２から一周してＳ２に戻ってくる時間は１秒以内とする。このような処理能力を確保することは現在の技術として十分可能である。
【００５４】
＜乗車直後１回の処理Ｓ１００＞
図４のステップＳ１１〜Ｓ１７は、住人(70)がカゴ(51)に乗車したと判定されたときに１回だけ行われる処理であり、不審利用情報として「ｆ：エレベータ以外の手段による階床間移動」の通知要否と、「ｇ：想定時間帯外利用」の通知要否を判定する。
【００５５】
まず、エレベータ制御装置(55)にカゴ位置情報を送信させ、受信したカゴ位置情報[ＩＦＣａｒ]の値に、最新乗車階床履歴[ＨＦＡｃｃ]を更新する(ステップＳ１１)。次に、ステップＳ１２では、乗車中方向変化履歴[ＨＤＣｈｇ]を０にリセットする。そして、エレベータ制御装置(55)に送信させたカゴ位置情報[ＩＦＣａｒ]の値と、現在時刻をセットにして、乗車時の情報である旨を付し、移動履歴情報に追加して蓄積する(ステップＳ１３)。
【００５６】
続いてステップＳ１４では、カゴ位置情報[ＩＦＣａｒ]が、最新降車階床履歴[ＨＦＤｅｓ](ＨＦＤｅｓが０の場合を除く)と異なるかどうか判断する(ステップＳ１４)。異なる場合には(ステップＳ１４のＹｅｓ)、エレベータ(50)以外、たとえば階段等で階床間を移動したと判断し、いたずらや徘徊等が想定されるので、監視装置(20)は不審利用情報として「ｆ：エレベータ以外の手段による階床間移動」を端末装置(73)に通知する(ステップＳ１５)。
【００５７】
ＩＦＣａｒがＨＦＤｅｓと一致する場合には(ステップＳ１４のＮｏ)、現在時刻を参照して、受信した識別情報に関連する利用可能時間帯[ＤＴＭｏｒ〜ＤＴＮｉｇ]の範囲内であるかどうかを判断し(ステップＳ１６)、範囲外である場合には(ステップＳ１６のＹｅｓ)、いたずらや徘徊等が想定されるので、監視装置(20)は不審利用情報として「ｇ：想定時間帯外利用」を端末装置(73)に通知し(ステップＳ１７)、本サブルーチンＳ１００を終了する。現在時刻が利用可能時間帯[ＤＴＭｏｒ〜ＤＴＮｉｇ]内であれば(ステップＳ１６のＮｏ)、本サブルーチンＳ１００を終了する。例えば、ＤＴＭｏｒ＝５、ＤＴＮｉｇ＝２３であれば、午前５時〜午後１１時までの利用は通常の利用状況であるが、午後１１時〜翌朝の午前５時までの間の利用は不審な利用状況となる。
【００５８】
上記ステップＳ１１〜Ｓ１７により、「ｆ：エレベータ以外の手段による階床間移動」と、「ｇ：想定時間帯外利用」が、不審利用情報として通知する必要があるかどうか判定される。
【００５９】
＜乗車継続中の処理Ｓ２００＞
図５のステップＳ２１〜Ｓ２６は、乗車継続中の処理であって、１回の乗車中における昇降の繰り返しやカゴ(51)内での長時間の滞留を監視するものである。
【００６０】
ステップＳ２１では、エレベータ制御装置(55)にカゴ走行方向情報を送信させ、受信したカゴ走行方向情報[ＩＤＣａｒ]の値から、カゴ(51)の走行方向が変化したかどうかを判定する。すなわち、カゴ走行方向情報[ＩＤＣａｒ]が前回ルーチンから変化した場合には(ステップＳ２１のＹｅｓ)、乗車中走行方向変化履歴[ＨＤＣｈｇ]を１加算する。また、エレベータ制御装置(55)に送信させたカゴ位置情報[ＩＦＣａｒ]の値と、現在時刻をセットにして、方向変化時の情報である旨を付し、移動履歴情報に追加して蓄積する(ステップＳ２２)。ＨＤＣｈｇが乗車中方向反転許容回数(実施形態では３回)に達した場合(ステップＳ２３のＹｅｓ)、すなわち、住人(70)が１回の乗車中に昇降方向を３回変化させた場合には、いたずらや徘徊等が想定される不自然な昇降であるため、監視装置(20)は、不審利用情報として上述した「ｅ：不自然な昇降」を端末装置(73)に通知する(ステップＳ２４)。
【００６１】
ステップＳ２１でカゴ走行方向情報[ＩＤＣａｒ]が変化していない場合(ステップＳ２１のＮｏ)及びステップＳ２３で乗車中走行方向変化履歴[ＨＤＣｈｇ]が３回未満の場合には(ステップＳ２３のＮｏ)、ステップＳ２５に移行し、カゴ内滞在情報[ＩＳＴａｇ]＝１の状態の継続時間、即ち、カゴ(51)内に住人が連続して滞在する時間が、乗車中継続許容時間(実施形態では５分)に達したかどうかを判定する。カゴ内滞在情報[ＩＳＴａｇ]＝１が５分継続した場合には(ステップＳ２５のＹｅｓ)、対象者のカゴ(51)内での転倒やいたずら等が想定されるため、監視装置(20)は、不審利用情報として「ｃ：カゴ内長時間滞留」を端末装置(73)に通知し(ステップＳ２６)、本サブルーチンＳ２００を終了する。なお、ステップＳ２５においてカゴ内滞在情報[ＩＳＴａｇ]＝１の継続時間が５分未満である場合には(ステップＳ２５のＮｏ)、本サブルーチンＳ２００を終了する。
【００６２】
上記ステップＳ２１〜Ｓ２６によって、「ｅ：不自然な昇降」と、「ｃ：カゴ内長時間滞留」が、不審利用情報として通知する必要があるかどうかが判定される。
【００６３】
＜降車直後１回の処理Ｓ３００＞
図６のステップＳ３１〜Ｓ３９は、住人(70)がカゴ(51)から降車したと判定されたときに１回だけ行われる処理であり、不審利用情報として「ｈ：想定時間帯外利用」の通知要否と、「ｄ：無用の乗車」の通知要否を判定する。
【００６４】
ステップＳ３１では、エレベータ制御装置(55)にカゴ位置情報を送信させ、受信したカゴ位置情報[ＩＦＣａｒ]の値に、最新降車階床履歴[ＨＦＤｅｓ]を更新する。
次に、現在時刻を参照して、定例訪問可能な時間帯である定例訪問可能時間帯[ＤＴＳｖｓ〜ＤＴＳｖｎ]の範囲内であるか否かを判断する(ステップＳ３２)。現在時刻が、受信した識別情報に関連する定例訪問可能時間帯[ＤＴＳｖｓ〜ＤＴＳｖｎ]の範囲内であれば(ステップＳ３２のＹｅｓ)、受信した識別情報に関連する定例訪問階床のなかにＨＦＤｅｓと一致するものが存在するかどうか(たとえば玄関階床：ＤＦＳｖｉ(１)がＨＦＤｅｓと一致するかどうか)を判定し(ステップＳ３３)、存在する場合には、その降車が定例訪問であると判断して(ステップＳ３３のＹｅｓ)、定例訪問履歴[ＨＳｖｉｓ]を１にセットする(ステップＳ３４)。存在しない場合には(ステップＳ３３のＮｏ)、ステップＳ３５に移行する。
【００６５】
上述のステップＳ３２にて、現在時刻が、定例訪問可能時間帯[ＤＴＳｖｓ〜ＤＴＳｖｎ]の範囲外であれば(ステップＳ３２のＮｏ)、直接ステップＳ３５に移行する。
【００６６】
ステップＳ３５では、エレベータ制御装置(55)に送信させたカゴ位置情報[ＩＦＣａｒ]の値と、現在時刻をセットにして、降車時の情報である旨を付し、移動履歴情報に追加して蓄積する。
【００６７】
続いてステップＳ３６では、受信した識別情報に関連する乗降可能階床[ＤＦＶｉｓ](居宅階床[ＤＦＲｅｓ](61) や玄関階床(62)や知人居宅階床(63)など)のなかにＨＦＤｅｓと一致するものが存在するかどうかを判定する。存在する場合にはステップＳ３８に移行し(ステップＳ３６のＮｏ)、存在しない場合には(ステップＳ３６のＹｅｓ)、いたずらや徘徊等が想定されるので、監視装置(20)は、不審利用情報として「ｈ：想定外階床降車」を端末装置(73)に通知する(ステップＳ３７)。
【００６８】
次に、降車階床が、直前の乗車階床と一致しているかどうかを判定する(ステップＳ３８)。最新降車階床履歴[ＨＦＤｅｓ]が、最新乗車階床履歴[ＨＦＡｃｃ]と一致している場合には(ステップＳ３８のＹｅｓ)、直近の乗車階床と降車階床が同じであり、いたずらや徘徊等が想定されるので、監視装置(20)は、不審利用情報として「ｄ：無用の乗車」を端末装置に通知し(ステップＳ３９)、本サブルーチンＳ３００を終了する。
【００６９】
最新降車階床履歴[ＨＦＤｅｓ]が、最新乗車階床履歴[ＨＦＡｃｃ]と一致していない場合には(ステップＳ３８のＮｏ)、通常の利用と判断し、本サブルーチンＳ３００を終了する。
【００７０】
＜乗車していない間の処理Ｓ４００＞
図７のステップＳ４１〜ステップＳ４５は、エレベータ(50)の利用のない状態が継続したときに、「ａ：長時間外出なし」や「ｂ：長時間帰宅なし」を不審利用情報として通知するものである。
【００７１】
まず、最新降車階床履歴[ＨＦＤｅｓ]が、受信した識別情報に関連する居宅階床[ＤＦＲｅｓ]と一致しているかどうかを判定する(ステップＳ４１)。これにより、住人(70)が居宅階床(61)にいる、すなわち帰宅しているのかどうかが判定できる。
【００７２】
最新降車階床履歴[ＨＦＤｅｓ]が居宅階床[ＤＦＲｅｓ]と一致していない場合には(ステップＳ４１のＮｏ)、外出中であると判定されて、カゴ内滞在情報[ＩＳＴａｇ]が０となってからの時間を判定、すなわちエレベータ(50)を利用していない時間を判定する(ステップＳ４２)。たとえば、その時間が２４時間(帰宅無し許容時間)に達すると(ステップＳ４２のＹｅｓ)、徘徊等が想定されるから、監視装置(20)は、不審利用情報として「ｂ：長時間帰宅なし」を端末装置に通知し(ステップＳ４３)、本サブルーチンＳ４００を終了する。外出時間が上記に満たない場合には(ステップＳ４２のＮｏ)、本サブルーチンＳ４００を終了する。
【００７３】
一方、ステップＳ４１において、最新降車階床履歴[ＨＦＤｅｓ]が、居宅階床データ[ＤＦＲｅｓ]と一致している場合には(ステップＳ４１のＹｅｓ)、住人(70)が居宅階床(61)にいる、すなわち帰宅していると判断できるから、カゴ内滞在情報[ＩＳＴａｇ]が０となってからの時間、すなわちエレベータ(50)を利用していない時間を判定する(ステップＳ４４)。たとえば、その時間が４８時間(外出無し許容時間)に達すると(ステップＳ４５のＹｅｓ)、何らかの事情により外出できないことが想定されるから、監視装置(20)は、不審利用情報として「ａ：長時間外出なし」を端末装置(73)に通知し(ステップＳ４５)、本サブルーチンＳ４００を終了する。外出時間が上記に満たない場合には(ステップＳ３４のＮｏ)、本サブルーチンＳ４００を終了する。
【００７４】
＜定例訪問なし通知の処理Ｓ５００＞
図８のステップＳ５０〜Ｓ５４は、住人(70)が定例訪問、すなわち、特定階床に特定時間帯に訪問したかどうかを判断する処理である。この判断は、受信した識別情報に関連する定例訪問可能時間帯[ＤＴＳｖｓ〜ＤＴＳｖｎ]が経過した直後に行なわれる。
【００７５】
まず、ステップＳ５０では、現在時刻を参照して、定例訪問可能時間帯[ＤＴＳｖｓ〜ＤＴＳｖｎ]の範囲内であるか否かを判断する。現在時刻が範囲内である場合は、定例訪問の有無を判断することなく本サブルーチンＳ５００を終了する(ステップＳ５０のＮｏ)。
【００７６】
一方、定例訪問時間帯を過ぎると(ステップＳ５０のＹｅｓ)、１回だけ定例訪問の有無を判定する。すなわち、ステップＳ５１では、直前まで定例訪問時間帯内であったときに(ステップＳ５１のＹｅｓ)、前述のサブルーチンＳ３００において定例訪問履歴[ＨＳＶｉｓ]が１に更新されている場合には(ステップＳ５２のＮｏ)、特定階床に特定時間帯に降車していることから、定例訪問があったと見なし、定例訪問履歴[ＨＳＶｉｓ]を０に初期化して本サブルーチンＳ５００を終了する(ステップＳ５４)。
【００７７】
定例訪問履歴[ＨＳＶｉｓ]が０のままである場合には(ステップＳ５２のＹｅｓ)、特定階床に特定時間帯に訪問していないことから、何らかの事情があったと判断して、監視装置(20)は、不審利用情報として「ｉ：定例訪問なし」を端末装置(73)に通知する(ステップＳ５３)。定例訪問履歴[ＨＳＶｉｓ]を０に初期化して本サブルーチンＳ５００を終了する(ステップＳ５４)。
【００７８】
上記のように、本実施形態によれば、監視装置(20)は、情報タグ(40)を基に、対象者のエレベータ(50)の利用状況を参照し、不審な利用状況にある場合にのみ不審利用情報を端末装置(73)に通知するようにしているから、対象者のエレベータ(50)の利用状況一般が頻繁に通知されるようなことはない。従って、通知を受けた管理者は、その通知を見逃し難くなるから、対象者の保護等、適切な処置を早期に採ることができる。
【００７９】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００８０】
＜ｄ：無用の乗車＞
不審利用情報も、上記に限定されるものではない。たとえば、「ｄ：無用の乗車」の通知条件として、降車階床が直近の乗車階床と同じである場合を前述したが、それとは別の判断とすることもできる。すなわち、カゴ(51)から降車した後の所定時間以内に乗車と降車を何度かくり返したような場合にも、「ｄ：無用の乗車」として通知することができる。その場合の登録情報としては、たとえば所定時間に許容される乗車回数を設ければよい。
【００８１】
＜ｅ：不自然な昇降＞
また、「ｅ：不自然な昇降」の通知条件として前述とは別の判断とすることもできる。すなわち、住人(70)がカゴ呼び釦(57)で登録した行先階床を記憶しておき、その行先階床で降車しなかったときに、不審利用情報として通知することができる。
【００８２】
＜ｊ：乗車検出後の昇降中に非乗車検出＞
また、カゴ(51)が昇降中に情報タグ(40)が非検出となったときには、「ｊ：乗車検出後の昇降中に非乗車検出」という不審利用情報として通知することもできる。この通知により、電池切れなど情報タグ(40)に不具合が生じた際に是正を促すことができる。
【符号の説明】
【００８３】
(10)  動向監視システム
(20)  監視装置
(30)  情報読取装置
(40)  情報タグ
(50)  エレベータ
(51)  カゴ
(55)  エレベータ制御装置
(60)  集合住宅
(61)  居宅階床
(73)  端末装置
【図１】
2015074528.tif 000003
【図２】
2015074528.tif 000004
【図３】
2015074528.tif 000005
【図４】
2015074528.tif 000006
【図５】
2015074528.tif 000007
【図６】
2015074528.tif 000008
【図７】
2015074528.tif 000009
【図８】
2015074528.tif 000010